(57)【要約】【課題】日常の生活の中で、特に、小さな子供に対してご飯茶碗に着いているご飯粒をきれいに食べるように躾けることができるご飯茶碗を提供する。【解決手段】ご飯茶碗１００は、盛り口１０と茶碗本体２０と高台３０を有し、茶碗本体２０の内周面２０ａは、多重凹凸加工面となるように形成されている。内周面２０ａは、凹凸加工面形状となるように第１の凹凸加工面Ｅ１として加工され形成されており、第１の凹凸加工面Ｅ１の表面は、凹凸加工面形状となるように第２の凹凸加工面Ｅ２として加工され形成されている。内周面２０ａは、多重凹凸加工面として形成されていることにより、盛り口１０からのご飯が内周面２０ａに盛り付けられた場合に、より効果的にご飯がくっつかないような構成となっている。【選択図】図１
0003217125.tif 000002
【実用新案登録請求の範囲】
【請求項１】
ご飯を盛りつける盛り口と、前記盛り口を開口とする茶碗本体と、前記茶碗本体を支える高台を有するご飯茶碗であって、
前記茶碗本体の内周面は、第１の凹凸加工面で形成されており、前記第１の凹凸加工面の表面は、第２の凹凸加工面で形成されており、
前記茶碗本体の内周面は、多重凹凸加工面となるように形成されていることを特徴とするご飯茶碗。
【請求項２】
前記第１の凹凸加工面は、前記茶碗本体の内周面が予め定められた高さを有する凹凸状であり、
前記第１の凹凸加工面の凹凸状の表面に、予め定められた高さを有する凸状の前記第２の凹凸加工面が形成されていることを特徴とする請求項１に記載のご飯茶碗。
【請求項３】
前記第１の凹凸加工面は、前記茶碗本体の内周面が予め定められた高さを有する凹凸状であり、
前記第１の凹凸加工面の凹凸状の表面に、予め定められた高さを有する凹凸状の前記第２の凹凸加工面が形成されていることを特徴とする請求項１に記載のご飯茶碗。
【考案の詳細な説明】
【技術分野】
【０００１】
本考案は、ご飯茶碗に関する。
【背景技術】
【０００２】
ご飯茶碗は、食器類としてご飯を盛るのに用いる茶碗であり飯茶碗ともいわれており、内部に多数の突起が設けられ、食物の付着を抑制するために内部に突起が設けられているものが知られている。また、ご飯茶碗を含む食器類は、一般的に合成樹脂で形成されており、内部が凹凸となるようにシボ加工、凹凸面形成加工などで成形されているものが開示されている。
【先行技術文献】
【特許文献】
【０００３】
【特許文献１】実登３２１１５７５号公報
【考案の概要】
【考案が解決しようとする課題】
【０００４】
上記のとおりご飯茶碗を含む食器類の一例として、内部が凹凸面となるように成形されているものが開示されているが、例えば、お箸を使いはじめた稚い小さな子供にご飯茶碗に付いているご飯粒をきれいに食べるように躾けることをより効果的に行うことができるものが求められていた。
【０００５】
本考案は、こうした点に鑑みてなされたものであり、日常の生活の中で、特に、小さな子供に対してご飯茶碗に付いているご飯粒をきれいに食べるように躾けることができるご飯茶碗を提供することである。
【課題を解決するための手段】
【０００６】
上記課題を解決するために、本考案に係るご飯茶碗は、ご飯を盛りつける盛り口と、前記盛り口を開口とする茶碗本体と、前記茶碗本体を支える高台を有するご飯茶碗であって、前記茶碗本体の内周面は、第１の凹凸加工面で形成されており、前記第１の凹凸加工面の表面は、第２の凹凸加工面で形成されており、前記茶碗本体の内周面は、多重凹凸加工面となるように形成されていることを特徴とする。
【０００７】
本考案に係るご飯茶碗の態様について、前記多重凹凸加工面を構成する前記第１の凹凸加工面と前記第２の凹凸加工面において、前記第１の凹凸加工面は、前記茶碗本体の内周面が予め定められた高さを有する凹凸状であり、記第１の凹凸加工面の凹凸状の表面に、予め定められた高さを有する凸状の前記第２の凹凸加工面が形成されていることが好ましい。
【０００８】
本考案に係るご飯茶碗の態様について、前記多重凹凸加工面を構成する前記第１の凹凸加工面と前記第２の凹凸加工面において、前記第１の凹凸加工面は、前記茶碗本体の内周面が予め定められた高さを有する凹凸状であり、前記第１の凹凸加工面の凹凸状の表面に、予め定められた高さを有する凹凸状の前記第２の凹凸加工面が形成されていることが好ましい。
【考案の効果】
【０００９】
本考案によれば、日常の生活の中で、特に、小さな子供に対してご飯茶碗に付いているご飯粒をきれいに食べるように躾けることができるご飯茶碗を提供することができる。
【図面の簡単な説明】
【００１０】
【図１】実施形態のご飯茶碗の一例を示す模式図である。
【図２】実施形態の多重凹凸加工面を説明する参考図である。
【考案を実施するための形態】
【００１１】
以下、本考案のご飯茶碗の実施形態を、図１及び図２を用いて説明する。図１は、本考案のご飯茶碗の一例であるご飯茶碗１００を示す模式図であり、図２（ａ）は、請求項２の構成に対応する実施形態の多重凹凸加工面の一例を説明する参考図であり、図２（ｂ）は、請求項２の構成に対応する実施形態の多重凹凸加工面の他の一例を説明する参考図であり、図２（ｃ）は、請求項３の構成に対応する実施形態の多重凹凸加工面の一例を説明する参考図である。なお、凹凸加工面とは、一般的に樹脂などの部材に凹凸を設ける加工であるが、表面処理においてシボ加工を用いて凹凸を有するしわを形成してもよく、また浮き彫りにする加工でもよい。
【００１２】
本考案の実施形態のご飯茶碗１００は、ご飯を盛りつける盛り口１０と、盛り口１０を開口とする茶碗本体２０と、茶碗本体２０を支える高台３０を有する構成となっている。この構成は、一般的な茶碗、丼などの構成であるが大きさ形状など種々のものがあり限定されるものではない。
【００１３】
ご飯茶碗１００は、茶碗本体２０に内周面２０ａを有しており、この内周面２０ａは、多重凹凸加工面となるように形成されている。このように内周面２０ａが形成されていることにより、盛り口１０からのご飯が内周面２０ａに盛り付けられた場合に、より効果的にご飯がくっつかないような構成となっている。
【００１４】
すなわち、内周面２０ａは、凹凸加工面形状となるように第１の凹凸加工面Ｅ１として加工され形成されており、第１の凹凸加工面Ｅ１の表面は、凹凸加工面形状となるように第２の凹凸加工面Ｅ２として加工され形成されている。このように第１の凹凸加工面Ｅ１と第２の凹凸加工面Ｅ２が設けられることにより、ご飯茶碗１００は、多重凹凸加工面を有するものとなる。
【００１５】
図２を用いて本考案の多重凹凸加工面の例について説明する。図２（ａ）及び図２（ｂ）に示す多重凹凸加工面の例は、内周面２０ａの表面に第１の凹凸加工面Ｅ１を形成して、さらに、この第１の凹凸加工面Ｅ１の表面に第２の凹凸加工面Ｅ２を形成している。第１の凹凸加工面Ｅ１は、茶碗本体２０の内周面２０ａを、予め定められた高さＨ１を有する凹凸状としたものである。そして第１の凹凸加工面Ｅ１の凹凸状の表面に、予め定められた高さＨ２を有する凸状の第２の凹凸加工面Ｅ２を形成することにより多重凹凸加工面が形成される。なお、上記の高さＨ１とＨ２の大きさや比率などは、適宜最適な値を選択するとよい。
【００１６】
図２（ｃ）に示す多重凹凸加工面の例は、内周面２０ａの表面に第１の凹凸加工面Ｅ１を形成して、さらに、この第１の凹凸加工面Ｅ１の表面に第２の凹凸加工面Ｅ２を形成している。第１の凹凸加工面Ｅ１は、茶碗本体２０の内周面２０ａを、予め定められた高さＨ３を有する凹凸状としたものである。そして第１の凹凸加工面Ｅ１の凹凸状の表面に、予め定められた高さＨ４を有する凹凸状の第２の凹凸加工面Ｅ２を形成することにより多重凹凸加工面が形成される。なお、上記の高さＨ３とＨ４の大きさや比率などは、適宜最適な値を選択するとよい。
【００１７】
上記のとおり、本考案のご飯茶碗１００は、茶碗本体２０の内周面２０aを、多重凹凸加工面形状にすることにより、ご飯茶碗１００とご飯粒の接着面積がより小さくなる構成を有している。このようにご飯茶碗１００の表面にご飯粒が着く接着面積が、より小さくなることにより、ご飯茶碗１００とご飯粒の接着力がより小さくなり、ご飯茶碗１００にくっついたご飯粒を簡単に取って食べることができる。
【００１８】
本考案のご飯茶碗１００を用いることで、くっついたご飯粒を簡単に取って食べることができるので、例えば、お箸を使い慣れない子供にお茶碗にくっついたご飯粒を残さずきれいに食べるようにさせることができる。また、本考案は、上記の子供でなく大人であっても、ご飯茶碗１００を、使用することにより、簡易にきれいにご飯を食することができ、快適な食生活とすることができる顕著な効果を有するものである。
【００１９】
以上、本考案の有する特徴及び優れた点を上記実施形態に記載したが、本考案は、本願の実用新案登録請求の範囲で使用されている言葉を広く一般的な意味に拡張して実施することができる。
【００２０】
また、本考案のご飯茶碗は、大きさや形状、素材の種類、厚さ、重さなどについては多様な実施形態が可能であり、それらについて本実施形態と異なる形態による実施は、本考案の技術的範囲に含まれる。
【符号の説明】
【００２１】
１００    ご飯茶碗
１０      盛り口
２０      茶碗本体
２０ａ    内周面
３０      高台
Ｅ１      第１の凹凸加工面
Ｅ２      第２の凹凸加工面
Ｈ１      第１の高さ
Ｈ２      第２の高さ
Ｈ３      第３の高さ
Ｈ４      第４の高さ
【図１】
0003217125.tif 000003
【図２】
0003217125.tif 000004